(57)【要約】【課題】錘式の開閉状態調整機構による複数の羽根の開閉状態の調整精度が高くて、複数の空間の差圧調整を精度良く行うことのできる圧力調整ダンパー及びそれを用いた加圧防排煙システムを提供する。【解決手段】第１空間Ｓ１と第２空間Ｓ２とを区画する区画部４の開口部に備えられる複数の羽根部３１と、第１空間Ｓ１と第２空間Ｓ２の差圧が設定差圧になるように、複数の羽根部３１の側と錘３２ａの側との力のバランスで複数の羽根部３１の開閉状態を調整する錘式の開閉状態調整機構３２と、複数の羽根部３１の開き側及び閉じ側の両動作を連動させる状態に複数の羽根部３１を一体連結する連動連結機構３３が備えられている。【選択図】図３
2016161246.tif 000002
【特許請求の範囲】
【請求項１】
第１空間と第２空間とを区画する区画部の開口部に備えられる複数の羽根部と、
当該第１空間と第２空間の差圧が設定差圧になるように、複数の羽根部の側と錘の側との力のバランスで複数の羽根部の開閉状態を調整する錘式の開閉状態調整機構と、
前記複数の羽根部の開き側及び閉じ側の両動作を連動させる状態に複数の羽根部を一体連結する連動連結機構が備えられている圧力調整ダンパー。
【請求項２】
前記開閉状態調整機構が、長さ方向の中間部位を横軸周りで揺動自在に軸支された天秤状アームの長さ方向一端側に前記複数の羽根部の側を接続し、且つ、天秤状アームの長さ方向他端側に前記錘の側を接続して構成されているとともに、
前記連動連結機構が、上下方向に延びる連動連結体に複数の羽根部の各々を連結して構成され、その連動連結体の上端側が前記天秤状アームの長さ方向一端側に横軸周りで回転自在に枢支連結されている請求項１記載の圧力調整ダンパー。
【請求項３】
上下方向に延びる棒状連結体の下端側に前記錘が連結され、その棒状連結体の上端側が前記天秤状アームの長さ方向他端側に横軸周りで回転自在に枢支連結されている請求項２記載の圧力調整ダンパー。
【請求項４】
前記複数の羽根部が、支持軸に横軸周りで回転自在に軸支され、且つ、支持軸による軸支部位とは異なる部位で前記連動連結体に横軸周りで回転自在に枢支連結され、前記連動連結体の上下動に連動して前記支持軸周りで回転動作するように構成されているとともに、
前記連動連結体の上下動に際して、前記連動連結体と前記天秤状アームとの枢支連結部位と、連動連結体と前記複数の羽根部との各枢支連結部位との位置関係が維持されるように、天秤状アームの軸支部位に対する連動連結体と天秤状アームの枢支連結部位の位置関係と、複数の羽根部の各軸支部位に対する前記連動連結体と前記複数の羽根部との各枢支連結部位との位置関係が設定されている請求項２又は３記載の圧力調整ダンパー。
【請求項５】
前記開閉状態調整機構は、前記錘の側の力を前記複数の羽根部に開き側の力として作用させ、且つ、前記複数の羽根部の側の力を前記複数の羽根部に閉じ側の力として作用させるとともに、火災時の熱により前記錘の作用力を低減させる又は消失させるように構成されている請求項１〜４のいずれか１項に記載の圧力調整ダンパー。
【請求項６】
請求項１〜５に記載の圧力調整ダンパーを用いた加圧防排煙システムであって、
火災時に加圧される加圧空間と非加圧空間とを区画する区画部の開口部に前記圧力調整ダンパーが装備されている加圧防排煙システム。
【発明の詳細な説明】
【技術分野】
【０００１】
本発明は、複数の空間の差圧を調整するための圧力調整ダンパー及びそれを用いた加圧防排煙システムに関する。
【背景技術】
【０００２】
近年、オフィスビルなどの建物では、火災時において出火した室（一般室）を排煙すると同時に給気室（特別避難階段付室等）を加圧給気して圧力を上昇させることで、一般室や避難経路である廊下等（隣接室）から給気室への煙の流入を防止する加圧防排煙システムが採用されている。
【０００３】
このような加圧防排煙システムでは、加圧給気により給気室と一般室及び隣接室との間の扉が開き難くなるのを防止するために、給気室と一般室及び隣接室とを区画する区画壁（区画部の一例）に圧力調整ダンパーを設け、２室間の差圧を設定差圧に調整するようにしている。
【０００４】
特許文献１の図９（第２実施例）には、加圧防排煙システムに用いられる圧力調整ダンパーとして、横軸周りの回転で揺動開閉自在な横長帯板状の複数の羽根部と、ワイヤーと滑車と１つの錘からなる錘式の開閉状態調整機構とを備えたものが開示されている。
【０００５】
この圧力調整ダンパーは、ワイヤーの一端側に複数の羽根部の各々の遊端側を個別に連結し、ワイヤーの他端側に錘を連結することで、ワイヤーと滑車を用いて複数の羽根部の側と錘の側の力をバランスさせる状態、具体的には、各羽根部の自重を各羽根部に閉じ側の力として作用させ、且つ、ワイヤーを介して錘の重量を各羽根部に開き側の力として作用させる状態で、２室間の差圧に応じて複数の羽根部の開閉状態を調整するように構成されている。
ここで、開閉状態調整機構の錘は、ワイヤーで連結された複数の羽根部の側の総重量に対して計算された重量に設定されている。
【先行技術文献】
【特許文献】
【０００６】
【特許文献１】特開２００９−８３５８号公報
【発明の概要】
【発明が解決しようとする課題】
【０００７】
上記従来の技術では、錘式の開閉状態調整機構の１つの錘の重量がワイヤーで連結された複数の羽根部の側の総重量に対して計算された重量に設定され、この１つの錘と複数の羽根部とをバランスさせるが、ワイヤーには個別接続された複数の羽根部の各々の姿勢を保持する力はない。
【０００８】
そのため、各羽根部の固体差や位置差に伴い加圧給気時に各羽根部に作用する力が相違することや、各羽根部の固体差による自重の相違などによって、各羽根部の開閉動作のズレと各羽根部を連結するワイヤーの緩みとが発生し、このワイヤーの緩みに伴い各羽根部に作用する錘の力にズレが生じる可能性がある。そして、このように各羽根部に作用する錘の力にズレが生じると、錘式の開閉状態調整機構による複数の羽根部の開閉状態の調整精度が大幅に低下することが考えられる。
【０００９】
この実情に鑑み、本発明の主たる課題は、錘式の開閉状態調整機構による複数の羽根の開閉状態の調整精度が高くて、複数の空間の差圧調整を精度良く行うことのできる圧力調整ダンパー及びそれを用いた加圧防排煙システムを提供する点にある。
【課題を解決するための手段】
【００１０】
本発明の第１特徴構成は、圧力調整ダンパーに係り、第１空間と第２空間とを区画する区画部の開口部に備えられる複数の羽根部と、
当該第１空間と第２空間の差圧が設定差圧になるように、複数の羽根部の側と錘の側との力のバランスで複数の羽根部の開閉状態を調整する錘式の開閉状態調整機構と、
前記複数の羽根部の開き側及び閉じ側の両動作を連動させる状態に複数の羽根部を一体連結する連動連結機構が備えられている点にある。
【００１１】
上記構成によれば、まずは、連動連結機構による複数の羽根部の一体連結によって複数の羽根部の側の全体（羽根部連結体）に対して前記開閉状態調整機構の前記錘の重量を設定することができるので、複数の羽根部の各々に対して錘の重量を設定するのに比べて錘の設定重量を大きくして、錘の重量の調整精度を向上させることができる。
【００１２】
しかも、この連動連結機構による一体連結によって複数の羽根部の開き側及び閉じ側の両動作が連動するので、恰も１つの大型の羽根部の動作のように複数の羽根部の動作を統一することができる。
【００１３】
それ故に、開閉状態調整機構による各羽根部の開閉状態の調整に際して、統一動作する複数の羽根部に対し、これに対応して設定された重量の錘の力を作用させることができ、各羽根部の固体差や位置差にかかわらず、複数の羽根部の開閉状態を精度良く調整することができる。したがって、第１、第２空間の差圧調整を精度良く行うことができる。
【００１４】
本発明の第２特徴構成は、前記開閉状態調整機構が、長さ方向中間部位を横軸周りで揺動自在に軸支された天秤状アームの長さ方向一端側に前記複数の羽根部の側を接続し、且つ、天秤状アームの長さ方向他端側に前記錘の側を接続して構成されているとともに、
前記連動連結機構が、上下方向に延びる連動連結体に複数の羽根部の各々を連結して構成され、その連動連結体の上端側が前記天秤状アームの長さ方向一端側に横軸周りで回転自在に枢支連結されている点にある。
【００１５】
つまり、上記構成によれば、前記開閉状態調整機構をシンプル且つ確実性の高い天秤機構として、長さ方向の中間部位を横軸周りで揺動自在に軸支された天秤状アームを介して複数の羽根部の側と錘の側との力を効率的にバランスさせることができる。
【００１６】
しかも、天秤状アームの長さ方向一端側に複数の羽根部の側を接続するのに、複数の羽根部の各々を連結した連動連結体の上端側が天秤状アームの長さ方向一端側に横軸周りで回転自在に枢支連結されているので、例えば、連動連結体と天秤状アームとをワイヤー等を介して連結する場合に比べて、開閉状態調整機構による複数の羽根部の開閉状態の調整をタイムリー且つ精度良く行うことができる。したがって、複数の空間の差圧調整を一層精度良く行うことができる。
【００１７】
本発明の第３特徴構成は、上下方向に延びる棒状連結体の下端側に前記錘が連結され、その棒状連結体の上端側が前記天秤状アームの長さ方向他端側に横軸周りで回転自在に枢支連結されている点にある。
【００１８】
つまり、この構成によれば、上下方向に延びる棒状連結体を介して、落下による危険性が少なくて操作性の高い下方側に錘を位置させることができる。しかも、錘連結材としての棒状連結体はある程度の剛性を有しているので、錘連結材としてワイヤー等の紐状体を用いるのに比べて錘が不測に移動することを抑制することができる。更に、錘連結材としての棒状連結体を錘の一部として利用することができる。
【００１９】
本発明の第４特徴構成は、前記複数の羽根部が、支持軸に横軸周りで回転自在に軸支され、且つ、支持軸による軸支部位とは異なる部位で前記連動連結体に枢支連結され、前記連動連結体の上下動に連動して前記支持軸周りで回転動作するように構成されているとともに、
前記連動連結体の上下動に際して、前記連動連結体と前記天秤状アームとの枢支連結部位と、連動連結体と前記複数の羽根部との各枢支連結部位との位置関係が維持されるように、天秤状アームの軸支部位に対する連動連結体と天秤状アームの枢支連結部位の位置関係と、複数の羽根部の各軸支部位に対する前記連動連結体と前記複数の羽根部との各枢支連結部位との位置関係が設定されている点にある。
【００２０】
つまり、上記構成によれば、天秤状アームの一端側に枢支連結された連動連結体の上下動に伴い、当該連動連結体に枢支連結された複数の羽根部が各支持軸周りで回転動作することで、複数の羽根部の開閉状態が変更される。
【００２１】
そして、この構成によれば、天秤状アームの軸支部位に対する連動連結体と天秤状アームの枢支連結部位の位置関係と、複数の羽根部の各軸支部位に対する連動連結体と複数の羽根部との各枢支連結部位との位置関係の設定によって、連動連結体の上下動に際して、連動連結体と天秤状アームとの枢支連結部位と、連動連結体と複数の羽根部との各枢支連結部位との位置関係が維持されるので、連動連結体の上下動の前後において連動連結体の状態を同一に維持することができる。
【００２２】
そのため、連動連結体の上下動に伴い連動連結体の姿勢が変化して各羽根部の動作にズレが生じたり、連動連結体の上下動に伴い連動連結体の連結部位周囲に大きな抵抗が作用して各羽根部の動作が阻害されるのを回避することができる。したがって、開閉状態調整機構と連動連結機構による複数の羽根部の統一的な開閉動作をスムーズに実行させることができる。
【００２３】
本発明の第５特徴構成は、前記開閉状態調整機構は、前記錘の側の力を前記複数の羽根部に開き側の力として作用させ、且つ、前記複数の羽根部の側の力を前記複数の羽根部に閉じ側の力として作用させるとともに、火災時の熱により前記錘の作用力を低減させる又は消失させるように構成されている点にある。
【００２４】
上記構成によれば、火災時の熱による錘の作用力の低減又は消失によって複数の羽根部に作用する開き側の力が低減又は消失するので、この開き側の力の低減又は消失に伴い複数の羽根部に作用する力としては閉じ側の力が相対的に大きくなり、複数の羽根部を閉じ操作することができる。したがって、火災が生じた一方の空間から他方の空間に火災が広がるのを抑制することができる。
なお、本構成の実施において、例えば、錘に火災時の熱で溶融する材料を使用したり、火災時に錘が分離落下するように錘の取り付けに火災時の熱で溶融又は破断する材料を利用するなど、火災時の熱により錘の作用力を低減させる又は消失させることが可能な各種の構成を適用することができる。
【００２５】
本発明の第６特徴構成は、第１〜第５特徴構成に記載の圧力調整ダンパーを用いた加圧防排煙システムであって、
火災時に加圧される加圧空間と非加圧空間とを区画する区画部の開口部に前記圧力調整ダンパーが装備されている点にある。
【００２６】
つまり、この構成によれば、火災時に加圧される加圧空間と非加圧空間とを区画する区画部の開口部に、第１〜第５特徴構成で説明した差圧調整精度の高い圧力調整ダンパーが装備されているので、加圧空間と非加圧空間との差圧調整を精度良く行うことができ、加圧空間に煙が流入するのを効果的に防止することができる。
【図面の簡単な説明】
【００２７】
【図１】加圧防排煙システムのシステム構成図
【図２】防火扉の設置部位の正面図（給気室側から見た正面図）
【図３】防火扉の要部の縦断面図
【図４】別実施形態の防火扉の要部の縦断面図
【発明を実施するための形態】
【００２８】
〔第１実施形態〕
図１は、オフィスビル等の建物１に採用された加圧防排煙システムの全体構成を示し、この加圧防排煙システムは、建物１内で設定された非加圧空間Ｓ１（第１空間の一例）から火災時の煙ＥＳを排煙する排煙手段１０と、建物１内で設定された加圧空間Ｓ２（第２空間の一例）に加圧給気する給気手段２０と、非加圧空間Ｓ１と加圧空間Ｓ２とを区画する区画壁４に備えられた圧力調整ダンパー３０とを備えて構成されている。
【００２９】
本実施形態では、建物１内において、一般室２が非加圧空間Ｓ１に設定されているとともに、給気室３が加圧空間Ｓ２に設定されている。５は避難階段を備えた階段室である。なお、給気室３に限らず廊下や階段室５等の各種の空間を加圧空間Ｓ２に設定することができる。
【００３０】
前記排煙手段１０は、非加圧空間Ｓ１の天井側に配備された排煙口１１と、排煙ダクト１２と、排煙ファン１３とから構成され、排煙ファン１３の運転によって火災時に発生した煙ＥＳを排煙口１１と排煙ダクト１２を通じて外部に排出するように構成されている。
【００３１】
前記給気手段２０は、加圧空間Ｓ２に配備された給気口２１と、給気ダクト２２と、加圧給気ファン２３とから構成され、加圧給気ファン２３の運転によって外気等の新鮮空気ＳＡを給気ダクト２２と給気口２１を通じて加圧空間Ｓ２に供給するように構成されている。
【００３２】
前記圧力調整ダンパー３０は、図１、図２に示すように、区画壁４に備えられた防火扉４Ａに組み込み構成され、防火扉４Ａが閉じられている状態で非加圧空間Ｓ１と加圧空間Ｓ２の差圧を設定差圧に自動的に調整するように構成されている。
なお、防火扉４Ａは、避難方向（加圧空間Ｓ２の側）に開く片開き構造とし、蝶番４ａを介して区画壁４に取付けられているが、その他の種々の構造を採用することができる。
【００３３】
そして、この加圧防排煙システムは、建物１内の適所に備えられた手動解放装置による手動操作、又は、中央管理室（防災センター）からの遠隔操作等の操作で稼動するように構成されている。
【００３４】
つまり、この加圧防排煙システムは、建物１内に火災が発生したときに上記操作で稼動させると、排煙手段１０によって非加圧空間Ｓ１から排煙し、且つ、給気手段２０によって加圧空間Ｓ２に加圧給気して加圧空間Ｓ２の圧力を上昇させることで、避難方向とは逆方向の加圧空間Ｓ２から非加圧空間Ｓ１に向かう方向に空気が流れるようにし、これにより、加圧空間Ｓ２に煙ＥＳが流入するのを防止する。
【００３５】
更に、この加圧防排煙システムは、システム稼動中において圧力調整ダンパー３０で非加圧空間Ｓ１と加圧空間Ｓ２との差圧を設定差圧に調整して、加圧空間Ｓ２の加圧給気に伴い防火扉４Ａに開閉不良が生じるのを回避する。
【００３６】
次に、上述の圧力調整ダンパー３０の構造・動作について詳述する。
図２、図３（ａ）に示すように、この圧力調整ダンパー３０は、複数の羽根部３１と、当該複数の羽根部３１の側と錘３２ａの側との力のバランスで各羽根部３１の開閉状態を調整する錘式の開閉状態調整機構３２と、各羽根部３１の開き側及び閉じ側の両動作を連動させる状態に複数の羽根部３１を一体連結する連動連結機構３３とを、防火扉４Ａの開口部に装着自在な矩形状の取付枠３４の内部に組み付けて構成されている。
【００３７】
前記羽根部３１の各々は、横長帯板状の金属板等からなり、取付枠３４の内部において横方向（左右幅方向、区画壁４の壁長方向）に延びる姿勢で上下方向に沿って略均等間隔で並設されている。
【００３８】
各羽根部３１は、図３（ａ）に示すように、板幅方向（前後方向）の一端側（加圧空間Ｓ２の側）に構成した軸支部位Ｐ１において、横軸周りで回転自在に軸支されている。当該軸支部位Ｐ１は、例えば、各羽根部３１に形成された凹状の軸受け部と、取付枠３４の内部で横方向に沿って架設された棒状や凸状の支持軸等から構成することができる。
【００３９】
つまり、これら複数の羽根部３１は、軸支部位Ｐ１での横軸周りの回転によって垂直側（閉じ側）と水平側（開き側）との間で姿勢を変更することで、空気の通流量を変更可能に構成されている。
【００４０】
前記連動連結機構３３は、上下方向に延びる金属製の棒状の羽根側ロッド３３Ａ（連動連結体の一例）から構成されている。そして、この羽根側ロッド３３Ａの上下方向の複数箇所と、各羽根部３１の遊端側である板幅方向の他端側（非加圧空間Ｓ１の側）とが、枢支連結部位Ｐ２を介して横軸周りで回転自在に枢支連結されている。
【００４１】
つまり、この連動連結機構３３は、羽根側ロッド３３Ａの上動によって、各羽根部３１の遊端側の枢支連結部位Ｐ２を、横軸回転を伴いながら上方に移動させる状態で、各羽根部３１を一体的に回転動作（揺動）させて開き側に姿勢変更するとともに、羽根側ロッド３３Ａの下動によって、各羽根部３１の遊端側の枢支連結部位Ｐ２を、横軸回転を伴いながら下方に移動させる状態で、各羽根部３１を一体的に回転動作させて閉じ側に姿勢変更する。
【００４２】
前記錘式の開閉状態調整機構３２は、長さ方向（前後方向）の中間部位における一端側寄り（前側寄り）に構成した軸支部位Ｐ３において横軸周りで揺動自在に軸支された金属製等の天秤状アーム３２Ｂを備えて構成されている。当該軸支部位Ｐ３の長さ方向での具体的な位置は、目標バランス等に応じて適宜に変更すればよい。なお、軸支部位Ｐ３は、例えば、天秤状アーム３２Ｂに形成された凹状等の軸受け部と、取付枠３４の内部で横方向に沿って架設された棒状や凸状等の支持軸等から構成することができる。
【００４３】
そして、当該天秤状アーム３２Ｂの長さ方向一端側と、下端側に錘３２ａが連結された金属製の棒状の錘側ロッド３２Ａ（棒状連結体の一例）の上端側とが、枢支連結部位Ｐ４において横軸周りで回転自在に枢支連結されている。また、当該天秤状アーム３２Ｂの長さ方向他端側と、羽根側ロッド３３Ａ（棒状連結体の一例）の上端側とが、枢支連結部位Ｐ５において横軸周りで回転自在に枢支連結されている。
【００４４】
各枢支連結部位Ｐ２、Ｐ４、Ｐ５の構造は、例えば、凹部（又は孔部）と凸部（又は棒状部）とを回転自在に連結して構成したり、他の部材を介して回転自在に連結して構成してもよく、要するに、設定軸周りで回転自在に連結する各種の構造を採用することができる。
【００４５】
つまり、この錘式の開閉状態調整機構３２は、天秤状アーム３２Ｂの長さ方向一端側に連結された錘３２ａの側の力（本例では錘３２ａと錘側ロッド３２Ａの重量）と、天秤状アーム３２Ｂの長さ方向他端側に連結された複数の羽根部３１の側の力（本例では羽根部３１と羽根側ロッド３３Ａの重量）とを天秤機構によって引き合わせることで、錘３２ａの側の力と羽根部３１の側の力のバランスの相対変化に応じて、羽根側ロッド３３Ａを上下動させる。
【００４６】
前記錘３２ａは、自身の重量と錘側ロッド３２Ａの重量の合計重量が両空間Ｓ１、Ｓ２が設定差圧にあるときに各羽根部３１の開度が設定開度になるように重量調整されたものを使用している。また、この錘３２ａは、後述する防火ダンパーとしての機能を付加するため、７０℃程度で溶融する低融点合金等（火災時の熱で溶融する素材の一例）から構成されている。
なお、当該錘３２ａは、重量の異なる複数種のものを用意しておき、設定開度や確認試験の結果等に応じて選択的な変更や複数個の設置が自在な構成にすることもできる。
【００４７】
すなわち、この圧力調整ダンパー３０は、錘式の開閉状態調整機構３２としての天秤機構によって、錘３２ａの側の力と羽根部３１の側の力のバランスの相対変化に応じて、連動連結機構３３としての羽根側ロッド３３Ａを上下動させることで、この羽根側ロッド３３Ａで一体連結された複数の羽根部３１の姿勢を一括変更し、この一連の動作により、空気の通流量を変更する形態で加圧空間Ｓ２と非加圧空間Ｓ１との差圧を設定差圧に自動的且つ精度良く調整する。
【００４８】
更に、この圧力調整ダンパー３０は、図３（ｂ）に示すように、羽根側ロッド３３Ａの上下動に際して、羽根側ロッド３３Ａと天秤状アーム３２Ｂとの枢支連結部位Ｐ５と、羽根側ロッド３３Ａと複数の羽根部３１との各枢支連結部位Ｐ２との位置関係が維持されるように、天秤状アーム３２Ｂの軸支部位Ｐ３に対する天秤状アーム３２Ｂと羽根側ロッド３３Ａの枢支連結部位Ｐ５の位置関係と、複数の羽根部３１の各軸支部位Ｐ１に対する複数の羽根部３１と羽根側ロッド３３Ａの各枢支連結部位Ｐ２との位置関係が設定されている。
【００４９】
本実施形態では、羽根側ロッド３３Ａの上下動に際して、羽根側ロッド３３Ａと天秤状アーム３２Ｂとの枢支連結部位Ｐ５と、羽根側ロッド３３Ａと複数の羽根部３１との各枢支連結部位Ｐ２との位置関係として「鉛直方向（設定方向の一例）に長さ寸法Ｌだけ離れた位置関係」が維持されるように、各軸支部位Ｐ１、Ｐ３、及び、各枢支連結部位Ｐ２、Ｐ５の位置関係が設定されている。
【００５０】
具体的には、天秤状アーム３２Ｂの軸支部位Ｐ３に対する天秤状アーム３２Ｂと羽根側ロッド３３Ａの枢支連結部位Ｐ５の離れ方向・離れ寸法（位置関係の一例）と、複数の羽根部３１の各軸支部位Ｐ１に対する複数の羽根部３１と羽根側ロッド３３Ａの各枢支連結部位Ｐ２との離れ方向・離れ寸法（位置関係の一例）が同一に設定されている。
【００５１】
更に、天秤状アーム３２Ｂの軸支部位Ｐ３の前後位置と、羽根部３１の各軸支部位Ｐ１の前後位置とが同一（同一の鉛直ライン上）に設定されているとともに、天秤状アーム３２Ｂ側の枢支連結部位Ｐ５の前後位置と、複数の羽根部３１側の各枢支連結部位Ｐ２の前後位置とが同一（同一の鉛直ライン上）に設定されている。
【００５２】
そのため、この圧力調整ダンパー３０は、羽根側ロッド３３Ａの上下動に際して、羽根側ロッド３３Ａの姿勢が鉛直姿勢から変化（傾斜や湾曲）したり、或いは、羽根側ロッド３３Ａの連結部位周囲の回転抵抗が変化することがなく、開閉状態調整機構３２と連動連結機構３３による複数の羽根部３１の統一的な開閉動作をスムーズに実行させることができる。
【００５３】
このように構成された圧力調整ダンパー３０は、加圧防排煙システムの稼動時において以下のように動作する。
【００５４】
非加圧空間Ｓ１と加圧空間Ｓ２の差圧が設定差圧にある場合には、図３（ａ）に示すように各羽根部３１の開度を設定開度に保持して加圧空間Ｓ２から非加圧空間Ｓ１への空気の通流量を設定流量に保持し、両空間Ｓ１、Ｓ２の差圧を当該設定差圧に維持する。
【００５５】
非加圧空間Ｓ１と加圧空間Ｓ２の差圧が設定差圧よりも大きくなると、各羽根部３１に作用する浮力が増大し、この浮力増大に伴って各羽根部３１の側の力が錘３２ａの側の力よりも相対的に小さくなるので、図３（ｂ）に示すように、羽根側ロッド３３Ａが上動して各羽根部３１が開き側に姿勢変更し、加圧空間Ｓ２から非加圧空間Ｓ１への空気の通流量を増大させて両空間Ｓ１、Ｓ２の差圧を低下させる。
【００５６】
これとは逆に、非加圧空間Ｓ１と加圧空間Ｓ２の差圧が設定差圧よりも小さくなると、各羽根部３１に作用する浮力が減少し、この浮力減少に伴って各羽根部３１の側の力が錘３２ａの側の力よりも相対的に大きくなるので、羽根側ロッド３３Ａが下動して各羽根部３１が閉じ側に姿勢変更し、加圧空間Ｓ２から非加圧空間Ｓ１への空気の通流量を減少させて両空間Ｓ１、Ｓ２の差圧を上昇させる。
【００５７】
更に、図３（ｃ）に示すように、この圧力調整ダンパー３０は、防火ダンパーとしても機能する。つまり、火炎が近づいて高熱に晒されると、開閉状態調整機構３２の錘３２ａが溶融して、各羽根部３１の側の力が錘３２ａの側の力よりも圧倒的に大きくなり、羽根側ロッド３３Ａが即座に下動して各羽根部３１を閉じ姿勢に姿勢変更し、非加圧空間Ｓ１と加圧空間Ｓ２との空気の通流を遮断する。
【００５８】
このとき、閉じ姿勢にある各羽根部３１の背面側（非加圧空間Ｓ１の側）に羽根側ロッド３３Ａが位置するので、この背面側の羽根側ロッド３３Ａが押さえ部材として機能し、各羽根部３１がバタつく等によって防火機能が低下するのを抑制する。なお、３４ａは、各羽根部３１が閉じ姿勢にあるとき、羽根部３１と当接して当該羽根部と取付枠３４との隙間を気密に閉塞する閉塞部である。
【００５９】
〔第２実施形態〕
この第２実施形態では、図４（ａ）に示すように、複数の羽根部３１が、それの板幅方向（前後方向）の一端側に構成された羽根側ロッド３３Ａとの枢支連結部位Ｐ２を支持軸とし、板幅方向の他端側を取付枠３４の内部に架設した丸棒状の受け部３５に自重で載置させた状態で圧力調整ダンパー３０に備えられている。
【００６０】
そして、各羽根部３１は、羽根側ロッド３３Ａの上下動に連動して、板幅方向の他端側を受け部３５に自重で載置させた状態を維持しながら、枢支連結部位Ｐ２の上下動と横軸回転とを伴って一体的に回転動作（揺動）するように構成されている。
【００６１】
なお、加圧空間Ｓ２からの突発的な風等の影響で各羽根部３１の板幅方向の他端側が受け部３５から離れてしまう虞がある場合には、各羽根部３１の板幅方向の他端側に錘等の部材を付加的に設ける等によって、各羽根部３１の板幅方向の端側の重量を増大させるのが好ましい。
【００６２】
そして、この圧力調整ダンパー３０は、加圧防排煙システムの稼動状態において、非加圧空間Ｓ１と加圧空間Ｓ２の差圧が設定差圧にある場合には、図４（ａ）に示すように各羽根部３１の開度を設定開度に保持して加圧空間Ｓ２から非加圧空間Ｓ１への空気の通流量を設定流量に保持し、両空間Ｓ１、Ｓ２の差圧を当該設定差圧に維持する。
【００６３】
非加圧空間Ｓ１と加圧空間Ｓ２の差圧が設定差圧から大きくなると、各羽根部３１に作用する浮力が増大し、各羽根部３１の側の力が錘３２ａの側の力よりも相対的に小さくなることで、図４（ｂ）に示すように、羽根側ロッド３３Ａが上動し、これに連動して、各羽根部３１が、板幅方向他端側を受け部３５上で前方側に摺動させながら横軸回転して開き側に姿勢変更し、加圧空間Ｓ２から非加圧空間Ｓ１への空気の通流量を増大させて両空間Ｓ１、Ｓ２の差圧を低下させる。
【００６４】
これとは逆に、非加圧空間Ｓ１と加圧空間Ｓ２の差圧が設定差圧よりも小さくなると、各羽根部３１に作用する浮力が減少し、この浮力減少に伴って各羽根部３１の側の力が錘３２ａの側の力よりも相対的に大きくなるので、羽根側ロッド３３Ａが下動し、これに連動して、各羽根部３１が、板幅方向他端側を受け部３５上で後方側に摺動させながら横軸回転して閉じ側に姿勢変更し、加圧空間Ｓ２から非加圧空間Ｓ１への空気の通流量を減少させて両空間Ｓ１、Ｓ２の差圧を上昇させる。
【００６５】
また、図４（ｃ）に示すように、火炎が近づいて高熱に晒されると、開閉状態調整機構３２の錘３２ａが溶融して、各羽根部３１の側の力が錘３２ａの側の力よりも圧倒的に大きくなり、羽根側ロッド３３Ａが即座に下動し、各羽根部が板幅方向他端側を受け部３５上で後方側に摺動させながら横軸回転して閉じ姿勢に姿勢変更し、非加圧空間Ｓ１と加圧空間Ｓ２との空気の通流を遮断する。
【００６６】
なお、その他の構成は、第１実施形態で説明した構成と同一であるので、同一の構成箇所に同一の番号を付記してその説明は省略する。
【００６７】
〔別実施形態〕
（１）上記各実施形態では、圧力調整ダンパー３０に防火ダンパーの機能を付加するのに、火災時の熱で錘３２ａが溶融するように構成されている場合を例に示したが、例えば、錘側ロッド３２Ａや天秤状アーム３２Ｂなどの複数の羽根部３１の側と錘３２ａの側との連結部位に火災時の熱で溶融又は破断する材料を使用し、火災時の熱で錘３２ａが分離落下するように構成されていてもよく、要するに、火災時の熱で複数の羽根部３１の側への錘３２ａの作用力を低減させる又は消失させるように構成されていればよい。
【００６８】
（２）上記各実施形態では、各羽根部３１の左右幅方向の一端部を連動連結体（連動連結機構３３）で連結する場合を例に示したが、例えば、各羽根部３１の左右幅方向の両端部などの各羽根部３１の複数箇所を連動連結体（連動連結機構３３）で連結するようにしてもよい。
【００６９】
（３）上記各実施形態では、連動連結機構３３を構成する連動連結体として、棒状の羽根側ロッド３３Ａを例に示したが、棒状に限らず、板状等の各種の部材から構成することができる。
【００７０】
（４）上記各実施形態では、錘式の開閉状態調整機構３２として、天秤状アーム３２Ｂを用いた天秤機構を例に示したが、例えば、滑車を用いた滑車機構など、錘の力で羽根部３１の開閉状態を調整可能な各種の機構を適宜に採用することができる。
【００７１】
（５）複数の羽根部３１は、上記各実施形態で示した横軸周りの回転動作で開閉する構造に限らず、縦軸周りの回転動作で開閉する構造などの各種の構造を採用することができる。
【符号の説明】
【００７２】
４        区画壁（区画部）
３０      圧力調整ダンパー
３１      羽根部
３２      開閉状態調整機構
３２Ａ    錘側ロッド（棒状連結体）
３２Ｂ    天秤状アーム
３２ａ    錘
３３      連動連結機構
３３Ａ    羽根側ロッド（連動連結体）
Ｐ１      軸支部位
Ｐ２      枢支連結部位
Ｐ３      軸支部位
Ｐ４      枢支連結部位
Ｐ５      枢支連結部位
Ｓ１      非加圧空間（第１空間）
Ｓ２      加圧空間（第２空間）
【図１】
2016161246.tif 000003
【図２】
2016161246.tif 000004
【図３】
2016161246.tif 000005
【図４】
2016161246.tif 000006